(57)【要約】【課題】交換側に配置される制御基板の保有機能を削減し、交換に係る制御基板を小型化することによって交換費用の軽減を図ると同時に、交換作業を簡易かつ確実に行うことができる遊技機を提供する。【解決手段】本体部１には複数機種に共通して使用可能な非交換部材４，５を配置し、分離ユニット２には機種毎に対応する交換部材２０を配置し、本体部１には入出力制御基板６０を少なくとも設け、分離ユニット２には主基板２４を少なくとも設け、主基板２４と入出力制御基板６０が直接接続されることにより、主基板２４と非交換部材４，５とが電気的に接続される。【選択図】図２
2008067962.tif 000002
【特許請求の範囲】
【請求項１】
遊技場に設置される本体部と、本体部に着脱自在に取り付けられる分離ユニットとから構成される遊技機であって、前記本体部には複数機種に共通して使用可能な非交換部材及び非交換制御基板を配置し、前記分離ユニットには機種毎に対応する交換部材及び交換制御基板を配置した遊技機において、
前記非交換制御基板として、前記非交換部材と前記交換制御基板との間の電気的接続信号の入出力を制御するための入出力制御基板を少なくとも設け、
前記交換制御基板として、抽選、遊技機の作動その他の遊技内容に関する制御を行うための主基板を少なくとも設け、
主基板に設けられた主基板コネクタと、前記入出力制御基板に設けられた入出力制御基板コネクタとが直接接続されることにより、前記主基板と前記非交換部材とが電気的に接続されることを特徴とする遊技機。
【請求項２】
前記本体部に、前記入出力制御基板を、前記分離ユニットの本体部への着脱方向と交わる方向にスライド自在に支持する移動補助部材を設け、
前記入出力制御基板は、前記分離ユニットを本体部の定位置に設置したときに前記主基板の主基板コネクタと入出力制御基板コネクタとが接合可能となる位置に設置され、
前記分離ユニットの定位置への設置後、前記移動補助部材に支持された入出力制御基板をスライドさせることにより、前記主基板コネクタと前記入出力制御基板コネクタとが接続されるように形成されていることを特徴とする請求項１記載の遊技機。
【請求項３】
前記分離ユニットに、前記主基板を、前記分離ユニットの本体部への着脱方向と交わる方向にスライド自在に支持する移動補助部材を設け、
前記入出力制御基板は、前記分離ユニットを本体部の定位置に設置したときに前記主基板の主基板コネクタと入出力制御基板コネクタとが接合可能となる位置に設置され、
前記分離ユニットの定位置への設置後、前記移動補助部材に支持された主基板をスライドさせることにより、前記主基板コネクタと前記入出力制御基板コネクタとが接続されるように形成されていることを特徴とする請求項１記載の遊技機。
【発明の詳細な説明】
【技術分野】
【０００１】
この発明は、分離型スロットマシンなどの、遊技装置と制御基板とを一体として遊技機の筐体に対して着脱自在かつ交換可能とした遊技機に関するものである。
【背景技術】
【０００２】
従来、資源の有効利用、遊技機交換作業の簡易化及び経費節減の観点から、回転リール及び制御基板を支持体に搭載した交換ユニットを、遊技機の筐体から着脱自在に形成した分離型スロットマシンが考案されている。そして特許文献１に示すように、この分離型スロットマシンの着脱作業を容易にするため、筐体側の内装部材と交換ユニット側の搭載部品との間の電気的接続が、着脱作業と同時に行われるようにした技術も考案されている。一方、遊技盤が本体から分離可能に形成されたパチンコ遊技機において、制御基板を複数機種に共通して使用可能な共通回路と機種固有の非共通回路に分ける技術が知られている。
【特許文献１】特開２００５−３４２１９６号公報
【特許文献２】特許第２９１３２９７号公報
【発明の開示】
【発明が解決しようとする課題】
【０００３】
上記したような分離型スロットマシンにおいては、交換側に配置される部品点数を極力少なくして、交換費用をより削減することが求められるところ、遊技機を制御するための制御基板については、必ずしも交換が必要でないものまで交換ユニットに搭載されており、改良の余地があった。具体的には、例えば分離型スロットマシンの場合、遊技機の構成部品に伝達される各種の信号の入出力を制御する部分（いわゆるＩ／Ｏ）は、基板全体の中でも大きなスペースを占めているが、必ずしも交換側に配置する必要性はないにもかかわらず交換ユニット側に配置されており、交換ユニットに搭載される基板が大型化していた。
【０００４】
一方、従来のパチンコ遊技機においては、本体側に配置されている制御基板と盤面に搭載されている制御基板とをハーネスにより接続していたので、盤面を交換する際、ハーネスの取り付け取り外し作業が面倒であった。
そこで、各請求項に記載された発明は、上記した問題点を解決すべくなされたものであり、以下のような目的を有する。
すなわち、請求項１に記載の発明は、交換側に配置される制御基板の保有機能を削減し、交換に係る制御基板を小型化することによって交換費用の軽減を図ると同時に、交換作業を簡易かつ確実に行うことができる遊技機を提供することを目的とする。
【０００５】
また、請求項２及び３に記載の発明は、請求項１に記載の発明の目的に加え、基板同士の接続が本体側と交換側のロック機能を兼ねるようにし、さらに部品点数の削減を可能とする遊技機を提供することを目的とする。
【課題を解決するための手段】
【０００６】
各請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技場に設置される本体部（筐体１、本体枠100）と、本体部(1,100)に着脱自在に取り付けられる分離ユニット（交換ユニット２、遊技盤ユニット９）とから構成される遊技機であって、前記本体部(1,100)には複数機種に共通して使用可能な非交換部材及び非交換制御基板を配置し、前記分離ユニット(2,9)には機種毎に対応する交換部材及び交換制御基板を配置した遊技機に係る。
【０００７】
本発明に係る遊技機は、遊技場に設置される遊技機であって、例えばスロットマシンやパチンコ遊技機に適している。
またここで、前記「非交換部材」とは、スロットマシン(S)を例にすると、電源ユニット(4)やホッパーユニット(5)などが含まれる。パチンコ機(P)を例にすると、電源(200)や弾発射装置、球払い出し装置などが含まれる。一方、前記「非交換制御基板」とは、非交換部材の作動を制御するための基板や、中継基板などが含まれる。
前記「交換部材」とは、スロットマシン(S)を例にすると、複数の図柄を表示した回転リール(23)とそれを回転させるためのモータを備えるリールユニット(20)が含まれる。パチンコ機(P)を例にすると、盤面(9A)に設けられた入賞口(9D)などの可動体や表示部(9E)が含まれる。一方、前記「交換制御基板」とは、交換部材の作動を制御するための基板や、中継基板などが含まれる。
【０００８】
なお、遊技機としては、上記構成の他に、本体部(1,100)の前面側に開閉自在に取り付けられた扉体(前扉３、扉ユニット８)を有していてもよい。
そして、本発明は、前記非交換制御基板として、前記非交換部材と前記交換制御基板との間の電気的接続信号の入出力を制御するための入出力制御基板（ＩＯ基板60）を少なくとも設け、前記交換制御基板として、抽選、遊技機の作動その他の遊技内容に関する制御を行うための主基板(24)を少なくとも設け、主基板(24)に設けられた主基板コネクタ(24A)と、前記入出力制御基板(60)に設けられた入出力制御基板コネクタ(60A)とが直接接続されることにより、前記主基板(24)と前記非交換部材とが電気的に接続されることを特徴とする。
【０００９】
前記主基板(24)は、交換部材のうち主として遊技装置の作動を制御するための制御基板である。具体的には、スロットマシン(S)の場合には、複数の図柄配列からなる当選役の抽選処理を行なったり、スタートスイッチ(44)及びストップスイッチ(45)の操作信号に基づく回転リール(23)の回転及び回転停止処理を行なったり、回転リール(23)の図柄の停止位置から入賞の有無を判定し、入賞の場合にはホッパーユニット(5)を作動させてメダルを払い出したりするためのものである。また、パチンコ機(P)の場合には、「当たり」「大当たり」の抽選処理を行なったり、遊技球が入賞口(9D)を通過した信号を出力して払い出し制御基板(220)に入賞球を払い出させたりするためのものである。
【００１０】
前記入出力制御基板(60)は、本体部(1,100)と分離ユニット(2,9)との間でやりとりされる電気信号の入出力手段である。具体的には、スロットマシン(S)の場合には、主基板(24)から出力される信号（例えばメダルの払い出し信号）を各非交換部材（例えばホッパーユニット(5)）に振り分けたり、非交換部材としての電源ユニット(4)から主基板(24)に電力を供給したり、非交換部材としてのスタートスイッチ(44)の操作信号を主基板(24)に出力したりするためのものである。また、パチンコ機(P)の場合には、主基板(24)から出力される信号（例えば入賞口通過信号）を各非交換部材（例えば払い出し制御基板(220)）に振り分けたり、非交換部材としての電源(200)から主基板(24)に電力を供給したりするためのものである。
【００１１】
（作用）
本発明においては、前記主基板(24)と入出力制御基板(60)は、双方に設けられたコネクタを介して基板同士が直接接続されるようになっている。また、このコネクタの接続により、主基板(24)と非交換部材との間の電気信号のやりとりが可能となる。
ここで、本発明においては、主基板コネクタ(24A)と入出力制御基板コネクタ(60A)の接合及び接合解除が、分離ユニット(2,9)と本体部(1,100)の着脱操作と同時に行われる場合と、分離ユニット(2,9)と本体部(1,100)の着脱操作とは別に行われる場合の双方を含む。前者の場合は、分離ユニット(2,9)を本体部(1,100)の定位置に収納設置すると、主基板コネクタ(24A)と入出力制御基板コネクタ(60A)が接合し、分離ユニット(2,9)を本体部(1,100)から取り出すことにより主基板コネクタ(24A)と入出力制御基板コネクタ(60A)の接合が解除される。後者の場合には、分離ユニット(2,9)を本体部(1,100)の定位置に収納設置した後、例えば入出力制御基板(60)又は主基板(24)を移動させて主基板コネクタ(24A)と入出力制御基板コネクタ(60A)を接合し、主基板コネクタ(24A)と入出力制御基板コネクタ(60A)の接合を解除してから分離ユニット(2,9)を本体部(1,100)から取り出す。
【００１２】
なお、上記いずれの場合でも、分離ユニット(2,9)と本体部(1,100)の着脱に際し、前記主基板(24)以外の交換制御基板と、入出力制御基板(60)以外の非交換制御基板との電気的接続が必要な場合には、これも基板同士による接続とするのが好ましい。
本発明によれば、従来主基板(24)に内蔵されていた入出力手段を、入出力制御基板(60)として本体部側に設置するようにしたので、分離ユニット(2,9)に搭載される主基板(24)を小型化することができ、交換部品の軽量化やコストダウンを図ることができる。また、分離ユニット(2,9)の着脱の際、ハーネスを繋いだり外したりする作業が必要なくなるので、交換作業の迅速化を図ることができる。
【００１３】
（請求項２）
（特徴点）
請求項２記載の発明は、上記した請求項１記載の発明の特徴点に加え、次の点を特徴とする。
すなわち、請求項２記載の発明は、前記本体部(1)に、前記入出力制御基板(60)を、前記分離ユニット(2)の本体部(1)への着脱方向と交わる方向にスライド自在に支持する移動補助部材（スライド部材50）を設け、前記入出力制御基板(60)は、前記分離ユニット(2)を本体部(1)の定位置に設置したときに前記主基板(24)の主基板コネクタ(24A)と入出力制御基板コネクタ(60A)とが接合可能となる位置に設置され、前記分離ユニット(2)の定位置への設置後、前記移動補助部材(50)に支持された入出力制御基板(60)をスライドさせることにより、前記主基板コネクタ(24A)と前記入出力制御基板コネクタ(60A)とが接続されるように形成されていることを特徴とする。
【００１４】
本発明及び請求項３記載の発明は、主基板コネクタ(24A)と入出力制御基板コネクタ(60A)の接合及び接合解除が、分離ユニット(2,9)と本体部(1,100)の着脱操作とは別に行われるように形成してある場合のものであって、本発明は入出力制御基板(60)をスライドさせることによって主基板(24)と基板同士が接続するものである。
ここで、「分離ユニット(2)の本体部(1)への着脱方向と交わる方向」とは、具体的には、分離ユニット(2)を本体部(1)の正面側から着脱する場合には着脱方向は前後方向であって、着脱方向と交わる方向とは左右方向又は上下方向である。
また、前記「移動補助部材」は、例えば入出力制御基板(60)の側端部に設けられたレール部(77)と係合可能な溝部(53)を有するガイド部とすることができる。
【００１５】
（作用）
本発明において、分離ユニット(2)を本体部(1)に取り付ける場合には、入出力制御基板(60)を分離ユニット(2)の装着を阻害しない位置に移動させておき、分離ユニット(2)を定位置に収納する。このとき、主基板コネクタ(24A)と入出力制御基板コネクタ(60A)とは接合可能な位置となる。例えば、主基板コネクタ(24A)及び入出力制御基板コネクタ(60A)が、主基板(24)及び入出力制御基板(60)の側面部に設けてある場合には、主基板(24)及び入出力制御基板(60)が並列した状態となる。そして、入出力制御基板(60)をスライドさせて主基板コネクタ(24A)と入出力制御基板コネクタ(60A)を接合すると、この接合により、分離ユニット(2)は着脱方向への移動を阻止され、本体部(1)にロックされるものとなる。
【００１６】
一方、分離ユニット(2)を本体部(1)から取り外す場合には、入出力制御基板(60)をスライドさせて主基板コネクタ(24A)と入出力制御基板コネクタ(60A)の接合を解除してから、分離ユニット(2)を取り外す。
このように、分離ユニット(2)を定位置に収納設置してから主基板コネクタ(24A)と入出力制御基板コネクタ(60A)を接合することにより、収納時にコネクタ部分が損傷する危険性が減り、また、入出力制御基板(60)をスライド移動させるようにしてあるので、移動のためのスペースも最小限ですむ。
さらに、主基板(24)と入出力制御基板(60)が接続されること自体が、分離ユニット(2)を本体部(1)に固定するものとなるため、分離ユニット(2)と本体部(1)とを固定するための固定装置による固定力に加えて、分離ユニット(2)と本体部(1)が強固に固定される。また、前記固定装置を、従来のものよりも簡易に形成しても（例えば固定装置を固定するときの仮止め機構を設けなくても）、分離ユニット(2)が確実に固定される。従って、分離ユニット(2)及び本体部(1)に設けられる部品点数を削減することが可能となるものである。
【００１７】
（請求項３）
（特徴点）
請求項３記載の発明は、上記した請求項１記載の発明の特徴点に加え、次の点を特徴とする。
すなわち、請求項３記載の発明は、前記分離ユニット(9)に、前記主基板(24)を、前記分離ユニット(9)の本体部(100)への着脱方向と交わる方向にスライド自在に支持する移動補助部材(50')を設け、前記入出力制御基板(60)は、前記分離ユニット(9)を本体部(100)の定位置に設置したときに前記主基板(24)の主基板コネクタ(24A)と入出力制御基板コネクタ(60A)とが接合可能となる位置に設置され、前記分離ユニット(9)の定位置への設置後、前記移動補助部材(50')に支持された主基板(24)をスライドさせることにより、前記主基板コネクタ(24A)と前記入出力制御基板コネクタ(60A)とが接続されるように形成されていることを特徴とする。
【００１８】
本発明は、請求項２の発明とは逆に、主基板(24)をスライドさせることによって入出力制御基板(60)と基板同士が接続するようにしたものである。
本発明は、本体部(100)に入出力制御基板(60)をスライド自在に取り付けるスペースがない場合に効果的である。
【発明の効果】
【００１９】
本発明は、以上のように構成されているので、以下のような効果を奏する。
すなわち、請求項１記載の発明によれば、交換側に配置される制御基板の保有機能を削減し、交換に係る制御基板を小型化することによって交換費用の軽減を図ると同時に、交換作業を簡易かつ確実に行うことができる遊技機を提供することができる。
また、請求項２又は３記載の発明によれば、上記効果に加え、基板同士の接続が本体側と交換側のロック機能を兼ねることによって、さらに部品点数の削減を可能とすることができる。
【発明を実施するための最良の形態】
【００２０】
本発明を実施するための最良の形態を、第一の実施の形態及び第二の実施の形態に分けて、図面に基づき説明する。
（第一の実施の形態）
第一の実施の形態は、本発明をスロットマシンに用いた場合の例である。
（図面の説明）
図１乃至図１３は、本発明の第一の実施の形態を示すものである。
図１はスロットマシンＳの外観斜視図、図２はスロットマシンＳの分解斜視図、図３はスロットマシンＳの縦断面図、図４は前扉を外した筐体１の正面図、図５〜図７は交換ユニット２を示す図、図８〜図１２は主基板及びスライド部材50とＩＯ基板60を示す図である。なお、図１３は、従来のスロットマシンと本実施の形態のスロットマシンＳの基板接続を比較した概略図である。
【００２１】
本実施の形態におけるスロットマシンＳは、図２に示すように、大きく分けて、正面側に開口部11を有する筐体１、筐体１内部に着脱自在に設けられる交換ユニット２、筐体１の開口部11を開閉可能に塞ぐ前扉３とから構成されている。そして、この前扉３は、筐体１の開口上部13を開閉可能に塞ぐ上扉30、筐体１の開口下部14を開閉可能に塞ぐ下扉40とに分割されている。
（筐体１）
筐体１は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には、電源ユニット４が固定されホッパーユニット５が設置されており、正面左側の側板16には、上扉30及び下扉40を係合させ、回転自在に支持するためのヒンジ19が、上下方向に間隔をおいて二つずつ設けられている。
【００２２】
ここで、前記電源ユニット４は、特に図示しないが電源装置が内装されていると共に、ホール管理者が種々の設定を行うためのスイッチ等を有しているものである。前記ホッパーユニット５は、メダルを貯留可能であるとともに入賞時等にメダルを払い出すためのものである。
また、図２及び図４に示すように、裏板18の開口上部13側には、スロットマシンＳの作動を制御する制御基板のうち筐体１に固定される制御基板から成る非交換制御部６と、非交換制御部６と交換ユニット２に設けられる制御基板とを電気的に接続させるための筐体コネクタ80が設けられている。さらに、裏板18には、筐体１の開口上部13に配置されている基板やコネクタと、開口下部13に配置されている電源ユニット４及びホッパーユニット５とを接続している電気配線を収納するためのハーネスダクト10が取り付けられている。
【００２３】
ここで、前記非交換制御部６としては、図２及び図４に示すように、ＩＯ基板60、メイン筐体基板61、サブ筐体基板62、メイン操作基板63が設けられている。
前記ＩＯ基板60は、筐体１に配置される構成部品と、交換ユニット２に配置される構成部品との間の、電気信号の入出力を制御するための入出力制御基板である。そして、本実施の形態においては、ＩＯ基板60は、裏板18に左右方向にスライド可能に取り付けられており、交換ユニット２の着脱時にスライドさせることにより電気的接続の接続及び切断が行われるとともに、交換ユニット２のロック及びロック解除ができるように形成されているものであるが、この詳細については後述する。
【００２４】
前記メイン筐体基板61及びサブ筐体基板62は、以下に述べる交換ユニット２に設けられたメインリール基板25及びサブリール基板27との接続用中継基板であり、ＩＯ基板60を介して、電源ユニット４等の筐体１の内装装置と、リールユニット２の主基板24、サブ基板26とを接続するためのものである。また、前記メイン操作基板63は、スロットマシンＳの設定等を操作するための基板である。
そして、前記電源ユニット４、ホッパーユニット５、ハーネスダクト10、筐体コネクタ80及び非交換制御部６は、スロットマシンＳの全機種に共通して使用可能な構成部品であり、いわゆる面替えの際には、筐体１に残したままにしておけるものである。そして、筐体１は、面替えに際して、遊技場に設置したままにしておけるものである。
【００２５】
（ＩＯ基板60とＩＯ基板60の筐体１への取り付け）
ここで、前記ＩＯ基板60について詳述する。
ＩＯ基板60は、図８（Ｂ）に示すように、薄型箱状のＩＯ基板ケース74に、ＩＣチップ等の電子部品を装着したプリント基板60Bを収納したものであり、図４に示すように、スライド部材50を介して筐体１の裏板18に取り付けられる。また、ＩＯ基板ケース74の側面には、ＩＯ基板60の外部接続端子であるＩＯ基板コネクタ60Aが設けられており、ＩＯ基板ケース74の上下端部には、ほぼ幅方向にわたってレール部77が設けられている。
前記ＩＯ基板ケース74は、図９に示すように、本体75及びカバー76から成る。本体75は、上下端部にレール部77が形成されているとともに、プリント基板60Bを固定可能であり、カバー76にはＩＯ基板コネクタ60Aが設けられている。そして、本体75及びカバー76の側方にそれぞれに設けられたネジ止め部78を、特に図示しないネジで本体75側から固定することにより、プリント基板60Bがケース内部に収納されるようになっている。なお、このように本体75側からネジ止めするため、カバー76の前面（つまり筐体１に取り付けたときに正面側となる面）にはネジが露出しない。
【００２６】
一方、スライド部材50は、図９及び図１０に示すように、ベース板51の上下端部に、正面側に張り出す側面視略Ｌ字型の係止部52が形成された薄板部材であり、係止部52の内側は、前記ＩＯ基板ケース74のレール部77を挟持可能な溝部53となっている。また、ベース板51の側端部には、側方に張り出す取り付け部54が設けられており、取り付け部54に形成されたネジ孔54a,54bにネジを挿通して、筐体１の裏板18の表面に固定されるものである。
そして、前記ＩＯ基板60は、前記スライド部材50の溝部53に、側方からＩＯ基板ケース74のレール部77を嵌め込み、レール部77と係止部53を係合させることによって、左右方向にスライド自在にスライド部材50に支持される（図１２参照）。このようにしてＩＯ基板60を取り付けたスライド部材50を裏板18に固定することにより、ＩＯ基板60が裏板18に対して左右方向にスライド自在に取り付けられるものである。
【００２７】
ここで、前記スライド部材50の取り付け部54に形成されたネジ孔54a,54bの間の距離は、ＩＯ基板ケース74の横幅よりも短く形成されている。すなわち、図１０（Ｂ）に示すように、ＩＯ基板ケース74の右側端Ｒが正面右側のネジ孔54bよりも右寄りに位置する（ＩＯ基板ケース74の右側がネジ孔54bを正面側から隠している）ときには、ＩＯ基板ケース74の左側端Ｌが正面左側のネジ孔54aよりも右寄りに位置（ネジ孔54bは露出）し、逆に、ＩＯ基板ケース74の右側端Ｒが正面右側のネジ孔54bよりも左寄りに位置する（ネジ孔54bが露出している）ときには、ＩＯ基板ケース74の左側端Ｌが正面左側のネジ孔54aよりも左寄りに位置する（ＩＯ基板ケース74の左側がネジ孔54bを隠す）ようになっている。つまり、スライド部材50にＩＯ基板ケース74を取り付けると、両側のネジ孔54a,54bが同時に正面側に露出することがないようになっている。
【００２８】
そして、スライド部材50を裏板18にネジ止めする場合には、ＩＯ基板ケース74を左右いずれかのネジ孔54a,54bが露出する位置まで寄せて片方をネジ止めした後に、ＩＯ基板ケース74を反対側にスライド移動させてもう一方をネジ止めする。一方、スライド部材50を取り外す際にも同様の手順を要することから、スライド部材50は容易に着脱できない。
さらに、図４に示すように、スライド部材50の取り付け位置は、ＩＯ基板60を最大限（ＩＯ基板ケース74の側端部が筐体１の側板16に当接するまで）右側又は左側に移動させても、係止部52とレール部73の係合が外れない位置となっているので、ＩＯ基板60をスライド部材50から抜き取ることはできない。また、ＩＯ基板ケース74は、スライド部材50を介して筐体１に取り付けたとき、本体75とカバー76を固定しているネジは裏側に位置しているので、正面側からカバー76を取り外すことはできない。すなわち、ＩＯ基板60を筐体１から取り出すには、スライド部材50ごと取り外す必要がある。そして、スライド部材50を筐体１から取り外すには、上述したような手間がかかるので、結果として、ＩＯ基板60は筐体１から簡単には取り出せないこととなる。
【００２９】
（交換ユニット２）
交換ユニット２は、図５及び図７に示すように、支持体21と、支持体21に固定されたリールユニット20と、スロットマシンＳの作動を制御する制御基板のうち、支持体21に固定される制御基板から成る交換制御部７と、交換御基部７と非交換制御部６とを電気的に接続させるための交換ユニットコネクタ90が設けられている。
ここで、リールユニット20は、スロットマシンＳの主たる遊技装置であって、周囲に複数の図柄（図示せず）を表示した３個の回転リール23と、特に図示しないが、各回転リール23を回転させるための駆動モータを有している。
【００３０】
またここで、前記交換制御部７は、主基板24、メインリール基板25、サブ基板26及びサブリール基板27とから形成されている。前記主基板24は、ＣＰＵを中心にＲＯＭ、ＲＡＭを備え、当選役を決定する抽選、回転リール23の回転及び停止等、遊技に関するすべての制御を行うための基板であり、前記メインリール基板25は、リールユニット20の制御の中継を行うための基板である。また、サブ基板26は、主基板24からの出力信号に基づいて、液晶表示装置32に画像を表示させたり飾り部33のランプを点滅させたりする演出を行わせるための基板であり、サブリール基板27は、主基板24からの信号を、筐体１に設けられたＩＯ基板60を介してサブ基板26に中継するための中継基板である。
【００３１】
なお、前記主基板24及びサブ基板26は、機種ごとに異なるものであって、これらを変更することにより遊技内容及びそれに付随する演出が変更される。そして、交換ユニット２を交換することにより、遊技を行わせるためのソフト部分（主基板24等）とハード部分（リールの図柄配列等）が同時に交換されることとなる。
前記支持体21は、前記リールユニット20を固定する略方形の枠体の上側に、交換側制御部７の主基板24及びメインリール基板25を固定するための基板固定部22を設けた構造となっている。この基板固定部22は、図５に示すように、支持体21の背面板の正面視右側に形成された凹み部である主基板固定部22Aと、同じく正面視左側に形成された凸部であるメインリール基板固定部22Bとから成る。そして、前記主基板固定部22Aの正面側には主基板24が、メインリール基板固定部22Bの正面側にはメインリール基板25がそれぞれ固定されている。
【００３２】
また、前記メインリール基板固定部22Bの裏側は、主基板固定部22Aとの段差によって空間部22Cが形成されており、この空間部22Cには、交換ユニット２の筐体１への固定時に、筐体１の裏板18に固定されたＩＯ基板60が位置するようになっている。
前記サブ基板26は、前記メインリール基板25の正面側に設けられており、前記サブリール基板27は、図６に示すように、支持体21の側面部に設けられている。
さらに、支持体21の背面側には、図７に示すように、空間部22Cの下側（メインリール基板固定部22Bの裏側の下方）に、交換ユニットコネクタ90が設けられている。交換ユニットコネクタ90は、図３に示すように、交換ユニット２の筐体１への収納固定時に、筐体１に設けられた筐体コネクタ80と接続され、これにより筐体１と交換ユニット２とが電気的に接続されるものである。
【００３３】
交換ユニット２は、筐体１の中板12の上に乗せ、開口上部13内部に収納されるものである。そして、筐体１の側板16の内側に設けられたクリップなどの固定装置（図示せず）によりに固着される。そして、機種変更の際には、少なくとも交換ユニット２を交換することにより遊技内容が変更され、筐体１はそのままで新たな遊技機として使用できるものである。
（主基板24と主基板24の支持体21への取り付け）
ここで、主基板24について詳述する。
主基板24は、図８（Ａ）に示すように、薄型箱状の主基板ケース70に、ＩＣチップ等の電子部品を装着したプリント基板24Bを収納したものであり、図５及び図１１に示すように、支持体21の主基板固定部22Aに取り付けられる。また、主基板ケース70の側面には、主基板24の外部接続端子である主基板コネクタ24Aが設けられている。
【００３４】
前記主基板ケース70は、図１１に示すように、本体71及びカバー72から成る。本体71は、プリント基板24Bを固定可能であり、カバー72には主基板コネクタ24Aが設けられている。そして、本体71及びカバー72の側方にそれぞれに設けられたネジ止め部73をネジＱ，ｑで固定することにより、プリント基板24Bがケース内部に収納されるようになっている。
さらに、主基板24は、前記本体71及びカバー72の固定時において、主基板固定部22Aに組み付けられるようになっているとともに、図７及び図１１に示すように、支持体21の裏側からネジＱにより固定されるようになっている。すなわち、主基板24を交換ユニット２の支持体21に固定する場合には、まず正面左側のネジ止め部73aをネジｑで固定し、その後、支持体21の背面側から、主基板固定部22Aに設けられた貫通孔を通してネジＱにより正面右側のネジ止め部73bを固定するものである。なお、図示した例ではネジｑを主基板ケース70の背面側（本体71側）から固定しているが、ネジｑは主基板ケース70の正面側（ケース72側）から固定するようにしてもよい。
【００３５】
このように形成してあるので、主基板24の組み立てと支持体21への装着が平行して行われるため効率よく取り付け作業を行うことができるとともに、交換ユニット２を筐体１から取り出さないと、主基板24を支持体21から取り外すことができないようにすることができる。
ちなみに、主基板24は、内部のプリント基板に装着されているチップを交換すれば、パチンコ遊技機にも共通して使用することができるものであるが、これについては第二の実施の形態において述べる。
（上扉30）
上扉30は、筐体１の開口上部13を塞ぐための板状の扉であり、筐体１の側板16に回転自在かつロック可能に形成されているものである。そして図１に示すように、略中央部に前記回転リール23の図柄を正面側から見ることができる図柄表示窓31が形成された上パネル34を有している。また、図柄表示窓31の上方には、動画等により種々の演出表示を行うための液晶表示装置32が設けられており、上パネル34の周囲には、ランプ等の電飾を含む飾り部33が設けられている。
【００３６】
そして、上扉30を閉じると、ヒンジ19の反対側に設けられたラッチ錠により自動的にロックされ、筐体１の開口上部13が密閉される。また、下扉40を解放した状態で、特に図示しないが上扉30の下側に設けられた解除つまみを下方に引き下げることにより、上扉30のロックが解除されるようになっている。
なお、上扉30は、上パネル34を交換することにより、異なる機種にも対応させることができる。すなわち、機種交換に際して、上扉30本体と液晶表示装置32などの演出表示部を筐体１に残しておけるものである。また、機種変更により上扉30の正面デザインを変更する場合には、筐体１から取り外して新たな上扉30と交換することができる。
【００３７】
（下扉40）
下扉40は、筐体１のヒンジ19に回転自在に軸支された上扉30よりも幅厚の扉であり、図１に示すように、下扉40の上部は、スロットマシンＳを作動させるためのカウンター状の操作部41となっている。また、下扉40の下部には、ホッパーユニット５から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、下扉40を解錠するためのものである。
【００３８】
なおスロットマシンＳは、メダルの投入又はベットスイッチ43の操作によりスタートスイッチ44の操作が有効となり、スタートスイッチ44の操作によって回転リール23が回転開始する。そして主基板24により行われる当選判定の抽選結果が所定の当選役に当選している場合に、ストップスイッチ45の操作により当選図柄が入賞の態様となるように回転リール23を停止させることができると入賞となり、ホッパーユニット５からメダルが払い出されたり、ボーナスゲームなどの有利な遊技が開始されるようになっている。
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
【００３９】
下扉40は、下パネル47を交換することにより、異なる機種にも対応させることができる。すなわち、機種交換に際して、下扉40本体は筐体１に残しておけるものである。また、下扉40本体が破損した場合や、機種変更により操作部41の形態が変更される場合には、筐体１から取り外して新たな下扉40と交換することができるものである。
（交換ユニット２の着脱）
次に、以上のような構成を有するスロットマシンＳにおける交換ユニット２の着脱手順を説明する。
ここで、交換ユニット２が筐体１の定位置に収納固定されている状態においては、図５に示すように、ＩＯ基板60は支持体20の空間部22Cに位置しており、主基板固定部22Aに固定されている主基板24は、スライド部材50の手前側であってＩＯ基板60と並列する位置にある。そして、ＩＯ基板コネクタ60Aと、主基板コネクタ24Aは結合状態となっている（図１２（Ｂ）参照）。また、図３に示すように、筐体コネクタ80と交換ユニットコネクタ90が結合されており、図６（Ｂ）に示すように、サブリール基板27はサブ筐体基板62と基板同士で接続している。すなわち、サブリール基板27とサブ筐体基板62には、それぞれにコネクタ27A,62A（図１３（Ｂ）参照）が設けられていて、これが結合されている。この状態において、交換ユニット２は、所定の固定装置（図示せず）によって筐体１にロックされているとともに、前記ＩＯ基板コネクタ60Aと主基板コネクタ24Aの結合により、手前側への移動を制限されている。
【００４０】
まず、筐体１に固定されている交換ユニット２を取り外す場合には、ＩＯ基板60を図５における右方向にスライドさせる。これにより、ＩＯ基板コネクタ60Aと主基板コネクタ24Aの結合が外れる（図１２（Ａ）参照）。次に、交換ユニット２と筐体１とを固定している固定装置の固定を解除し（例えばクリップを外し）、交換ユニット２を手前側に引き出せば、筐体コネクタ80と交換ユニットコネクタ90の結合、及びサブリール基板27とサブ筐体基板62の結合が解除される（図６（Ａ）参照）。筐体コネクタ80と交換ユニットコネクタ90、サブリール基板27とサブ筐体基板62は、前後方向に結合しているため、交換ユニット２を引き出すと同時にその結合が外れるものである。そして、交換ユニット２を筐体１の開口上部13から取り出すことができる。
【００４１】
このように、固定装置を解除してＩＯ基板60をスライドさせるだけで、面倒なハーネスの取り外し作業を一切行うことなく、交換ユニット２を筐体１から取り外すことができるものである。
一方、交換ユニット２を筐体１に収納固定する場合には、まず、ＩＯ基板60を図１２（Ａ）に示す位置（スライド部材50の左端に主基板24が位置するのに必要十分なスペースが生じるようＩＯ基板60をスライドさせた位置）に移動させておき、交換ユニット２を開口上部13内に押入する。交換ユニット２を定位置まで押入させれば、筐体コネクタ80と交換ユニットコネクタ90、及びサブリール基板27とサブ筐体基板62がそれぞれ合致して結合される（図３、図６（Ｂ）参照）。このとき、ＩＯ基板60は支持体21の空間部22Cに位置し、主基板24と並列する。そこで、ＩＯ基板60を図５における左方向にスライドさせることにより、ＩＯ基板コネクタ60Aと主基板コネクタ24Aが結合される（図１２（Ｂ）参照）。この結合により、交換ユニット２の前後方向の移動が規制される。しかる後、所定の固定装置により交換ユニット２を筐体１にロックすれば、交換ユニット２は筐体１に確実に固定される。
【００４２】
このように、交換ユニット２を筐体１に収納固定する場合にも、面倒なハーネスの取り付け作業を一切行う必要がない。
なお、筐体コネクタ80と交換ユニットコネクタ90の接続とは異なり、交換ユニット２を定位置に収納してから手動でＩＯ基板60を動かして、ＩＯ基板コネクタ60Aと主基板コネクタ24Aを接続するようにしてあるので、交換ユニット２の押入時にコネクタ部分が衝突して破損するおそれもない。これは、重要基板である主基板24を直接接続するにあたっては、このように段階的な接続とするのが好ましいと考えられること、基板ケース70,74に頑丈なコネクタ部分を形成しなくてもよいこと、に基づくものである。
【００４３】
（筐体１と交換ユニット２の基板接続）
以上のように形成されているスロットマシンＳの、筐体１と交換ユニット２の各制御基板の接続ついて、従来のスロットマシンの場合と対比して説明する。
図１３（Ａ）は、従来の分離型スロットマシンにおける筐体１及び交換ユニット２の構成部品及び基板接続を示す概略のブロック図である。ここで、図１３（Ａ）（Ｂ）中「ドア・オーバーフロー」とあるのは、前扉３の開閉を検知するための開閉センサ及びホッパーユニット５からあふれたメダルが貯留されるサブタンクに設けられたオーバーフローセンサ（いずれも図示せず）のことであり、「下部基板」とは、ホッパーユニット５の作動を制御するための中継基板である。また「外部集中端子板」とは、遊技場のホールコンピュータとの通信を行うためのものである。なお、図中、太矢印は電力供給、細矢印は信号出力を表すものである。
【００４４】
従来の分離型スロットマシンでは、筐体側には、電源ユニット４や下部基板等との中継基板であるメイン筐体基板610が設けられており、このメイン筐体基板610に筐体コネクタ80が設けられていた。また、交換ユニット２側には、主基板240及びサブ基板260と、中継基板であるメインリール基板250が設けられており、このメインリール基板250には交換ユニットコネクタ90が設けられていた。そして、筐体１と交換ユニット２との電気的接続は、筐体コネクタ80と交換ユニットコネクタ90の接続によって基板同士で行われていた。
しかし、従来の主基板240は、入出力手段（ＩＯ基板にあたるもの）を兼ねたものであった。入出力手段は、単に信号のやりとりを中継するものであって、スロットマシンの機種に依存するものではなく、すべての機種に共通して使用可能なものであるため、これを交換ユニット側に配置するのは無駄であった。
【００４５】
一方、本実施の形態に係るスロットマシンＳでは、図１３（Ｂ）に示すように、ＩＯ基板60を筐体側に配置してあり、中継基板であるメイン筐体基板61は、ＩＯ基板60を介して電源ユニットや下部基板等と接続されている。そして、筐体１と交換ユニット２との電気的接続を、筐体コネクタ80と交換ユニットコネクタ90の接続によって基板同士で行うとともに、ＩＯ基板60と主基板24とをＩＯ基板コネクタ60Aと主基板コネクタ24Aによって直接接続し、サブ筐体基板62とサブリール基板27とをサブ筐体基板コネクタ62Aとサブリール基板コネクタ27Aによって直接接続するように形成してある。なお、本実施の形態では、面替え時に上扉30を筐体１に残すようにしていることから、上扉30に設けられている液晶表示装置32等の演出表示部には、サブ基板26からの信号がＩＯ基板60を経て出力される。
【００４６】
さらに、主基板24とメインリール基板25、主基板24とサブ基板26とは、ＩＯ基板60を介して接続されるようになっているので、主基板24には、メインリール基板25と信号をやりとりするための入出力手段、サブ基板26に信号を出力するための出力手段を設ける必要がない。このため、主基板24を従来のものに比べて小型化することができる。また、交換ユニット２に、主基板24とメインリール基板25、主基板24とサブ基板26を接続するためのハーネスを設けなくてもよいので、交換ユニット２に取り付けられるハーネス類を最小限に抑えることができる。
このように、本実施の形態によれば、交換に係る部品点数を少しでも減らして交換費用の削減を図ることができるものである。
【００４７】
また、本実施の形態においては、上記に加え、図１２に示すように、ＩＯ基板60と主基板24との接続を、交換ユニット２の着脱方向（前後方向）と交差する方向（左右方向）に設定し、かつＩＯ基板60をスライド自在に形成したことにより、ＩＯ基板60を移動させないと交換ユニット２を手前側に引き出すことができないようになっている。すなわち、ＩＯ基板60そのものが、交換ユニット２をロック（もしくは仮止め）する手段としても機能しているのである。
従って、例えば交換ユニット２と筐体１とを固定するための固定装置を、従前のものより簡易に形成しても、あるいは、固定装置での固定を補助するための仮止め機構を設けなくても、交換ユニット２を筐体１に確実に固定することができるので、部品点数及び製造費用の削減を図ることができるとともに、交換ユニット２の着脱作業の工程の簡素化にも役立つものである。
【００４８】
さらに、本実施の形態では、主基板24を支持体21の背面側から固定するように形成してあるので、主基板24を取り外すためには交換ユニット２を筐体１から取り出す必要がある。また、ＩＯ基板60は、交換ユニット２の背面側に位置し、かつスライド部材50を筐体１から取り外さないと取り出せない構造にしてある。このように形成されているので、主基板24及びＩＯ基板60に関しては、不正な基板に付け替えて遊技設定を不正に変更するいわゆる基板交換ゴトに対して、防犯効果が高まるものである。
なお、本実施の形態においては、ＩＯ基板60をスライドさせて主基板24と接続するように形成してあったが、逆に主基板24を左右にスライド自在に形成し、主基板24をスライドさせてＩＯ基板60と接続するようにしてもよい。
【００４９】
具体的には、支持体21の主基板固定部22Aにスライド部材50の係止部52と同様の係止部を設け、主基板24の外装ケースの上下端部に設けられたレール部79（図２０参照）と前記係止部とを係合させて、係止部の内側の溝部に沿ってレール部79が摺動するように形成することができる。このように形成した場合でも、主基板24は正面側には取り出せず、左右方向に抜き取ろうとしてもＩＯ基板60と筐体１の側板16に衝突してレール部79と係止部との係合を解除できないので、主基板24を取り外すには交換ユニット２を筐体１から取り出す必要がある。
（第二の実施の形態）
第二の実施の形態は、本発明をパチンコ遊技機に用いた場合の例である。
【００５０】
（図面の説明）
図１４乃至図２１は、本発明の第二の実施の形態を示すものである。
図１４乃至図１８はパチンコ機Ｐの斜視図、図１９はパチンコ機Ｐの裏面を示す概略図、図２０は主基板及びＩＯ基板を示す斜視図である。なお、図２１は従来の遊技機と本実施の形態のパチンコ機Ｐの基板接続を比較した概略図である。
（パチンコ機Ｐ）
パチンコ機Ｐは、図１４及び図１５に示すように、大きく分けて、方形枠状の本体枠100と、本体枠100に着脱自在に取り付けられる扉ユニット８及び遊技盤ユニット９とから構成されている。そして、本体枠100を遊技場のいわゆる「島」と呼ばれるスペース（図示せず）に設置して、パチンコ遊技機として取り扱われるものである。
【００５１】
（本体枠100）
本体枠100は、図１４に示すように、外枠110と内枠120を有している。外枠110は、木質複合材よりなる長方形の枠材であり、パチンコ機Ｐを島に取り付けるためのものである。また、内枠120は、外枠110の一方の側板に水平方向に回動自在に取り付けられた板状の扉体である。
内枠120の上側には、図１６に示すように、正面側から背面側に開口する内枠開口121が形成されている。この内枠開口121には、後述する扉ユニット８の取り付け枠8Aを介して遊技盤ユニット９が取り付けられるものである。また、内枠120の正面側下方には、図１４、１５に示すように、上側が開放する球皿130と、球皿130の右下端部に位置し正面側に突出するハンドル140が設けられている。ここで、前記球皿130は、入賞により払い出された遊技球を貯留可能な受け皿であり、前記ハンドル140は、その操作により内部に設けられた球発射装置（図示せず）を作動させるためのものである。
【００５２】
そして、内枠120の裏面側には、図１６及び図１９に示すように、背面上方から背面側方に連続する球通路150と、球皿130の裏側に位置する非交換制御部６が設けられている。前記球通路150は、島設備の遊技球循環システムから供給される遊技球をパチンコ機Ｐに取り込むためのものである。球通路150は上方に開口する球受け口を有し、この球受け口から受け入れ取り込んだ遊技球は、所定の入賞信号に基づき球カウンタを通過し、払い出し球として所定の個数、球皿130に払い出される。また、前記非交換制御部６は、パチンコ機Ｐの作動を制御する制御基板のうち、本体枠100に固定される制御基板である。
ここで、非交換制御部６としては、少なくとも、メイン枠基板210、サブ枠基板211、払い出し制御基板220及びＩＯ基板60が設けられている（図２１（Ｂ）参照）。前記メイン枠基板210は、球発射装置の作動制御などの制御を行うための基板であり、サブ枠基板211は、球皿130の周辺や前扉8Bに設けられる演出用デバイス（例えばランプやスピーカ）の作動を制御するためのものである。また、払い出し制御基板220は、払い出し球の払い出し制御を行うためのものである。
【００５３】
そして、前記ＩＯ基板60は、遊技盤ユニット９に配置される構成部品と本体枠100に配置される構成部品との間の、電気信号の出入力を制御するための制御基板であり、第一の実施の形態で述べたものとほぼ同様の構成を有している。そして、本実施の形態においては、ＩＯ基板60は、図１９に示すように、遊技盤ユニット９の本体枠100への装着時に、遊技盤ユニット９の裏面に設けられている主基板24と並列するよう配置され、第一の実施の形態と同様に、主基板24と基板同士で接続可能に形成されているものである。
なお、本実施の形態においては、ＩＯ基板60は本体枠100の内枠120に固定されており、ＩＯ基板60が移動することはない。従って、本実施の形態におけるＩＯ基板60には、レール部77（図８参照）は形成されていない。また、ＩＯ基板コネクタ60Aの形成されている位置が第一の実施の形態に係るものとは異なっている。
【００５４】
前記内枠120は、通常時は、閉じた状態で外枠110にロックされている。そして、面替えに際して遊技盤ユニット９を交換するときには、内枠120を開放して、内枠120の裏側から遊技盤ユニット９のロック解除を行い、本体枠100は遊技場の島設備に据え置かれるようになっている。
（扉ユニット８）
扉ユニット８は、前記本体枠100に取り付けられ、内枠開口121を開閉自在に塞ぐ扉体であって、図１５に示すように、取り付け枠8A及び前扉8B及びガラス枠8Cを有している。
前記取り付け枠8Aは、図１７に示すように、中央部が開口する方形の枠体であって、本体枠100の内枠開口121の内部に収納可能に形成されている。そしてこの取り付け枠8Aの開口部には、遊技盤ユニット９が取り付けられ（図１８参照）、遊技盤ユニット９により内枠開口121が塞がれるようになっている。
【００５５】
また、前扉8Bは、図１４に示すように、正面側に飾り部やランプなどからなる表示装置が設けられた扉であり、取り付け枠8Aに軸支部を介して水平方向に回動自在に取り付けられている。前扉8Bの中央部には、遊技盤ユニット９の盤面9Aを正面側から視認可能とするための開口窓が形成されており、この開口窓を内側から塞ぐように、前記ガラス枠8Cが形成されている。
ガラス枠8Cは、枠体に嵌め込まれたガラスなどからなる透明パネルを有し、前扉8Bの裏面又は取り付け枠8Aに、軸支部を介して水平方向に回動自在に取り付けられている。
扉ユニット８は、取り付け枠8Aを内枠開口121の内部に収納固定することにより本体枠100に取り付けられる。また、扉ユニット８は、パチンコ機Ｐの面替えの際、本体枠100に残したままにしておけるものである。そして、パチンコ機Ｐの正面デザインを変更する場合には、扉ユニット８を本体枠100から取り外し、新たな扉ユニット８と交換することもできるものである。
【００５６】
（遊技盤ユニット９）
遊技盤ユニット９は、パチンコ機Ｐの主たる遊技装置であって、図１５に示すように、正面側に複数の釘（図示せず）が打ち込まれた盤面9Aを有する板部材である。盤面9Aの周囲には、ハンドル140を操作することによって玉発射装置から発射された遊技球を、遊技領域へと誘導するレール9Bが設けられており、前記盤面9Aの遊技領域略中央部には、液晶表示装置や回転リールを用いて、文字、図形、動画等種々の表示を行うための表示部9Eが設けられている。また、表示部9Eの下方には、スタートチャッカーと呼ばれる始動入賞口9Cが設けられており、この始動入賞口9Cの下方には、アタッカーと呼ばれる入賞口9Dが設けられている。なお、パチンコ機Ｐは、始動入賞口9Cに球が入ると入賞となり、所定の条件をクリアすることによりいわゆる「大当たり」となる。入賞口9Dはこの大当たり状態の時に開放されるものである。
【００５７】
また、遊技盤ユニット９の裏面には、図１８及び図１９に示すように、遊技盤ユニット９に固定される制御基板から成る交換制御部７が設けられている。交換制御部７は、図２１（Ｂ）に示すように、少なくとも、主基板24、サブ基板26、及び盤面制御基板270とから構成されている。主基板24は、ＣＰＵを中心にＲＯＭ、ＲＡＭを備え、当選を決定する抽選、入賞口9Dの作動等、遊技に関するすべての制御を行うための基板であり、サブ基板26は、主基板24からの出力信号に基づいて、遊技に付随する演出の制御を行うための基板である。また、盤面制御基板270は、サブ基板26からの出力信号に基づいて、盤面9Aに設けられたＬＥＤの点灯点滅や入賞口9Dなどの可動体の作動を制御するためのものである。
【００５８】
なお、前記主基板24及びサブ基板26は、機種ごとに異なるものであって、これらを変更することにより遊技内容及びそれに付随する演出が変更される。そして、遊技盤ユニット９を交換することにより、遊技を行わせるためのソフト部分（主基板24等）とハード部分（盤面9Aや表示部9E等）が同時に交換されることとなる。
ここで、前記主基板24は、第一の実施の形態で説明した主基板24と同様の構成を有しており、主基板ケース70に内装されているプリント基板24B（図１１参照）にパチンコ遊技機用のＩＣチップが搭載されたものである。そしてこの主基板24は、図１９に示すように、遊技盤ユニット９の裏面に設けられたスライド部材50'により、左右方向にスライド自在に形成されている。そして、側面部に設けられた主基板コネクタ24Aを、ＩＯ基板60に設けられたＩＯ基板コネクタ60Aと連結させることにより、ＩＯ基板60と基板同士で接続可能となっている。
【００５９】
本実施の形態におけるスライド部材50'は、図２０に示すように、第一の実施の形態で説明したスライド部材50とほぼ同様の構成を有しており、主基板24の主基板ケース70の上下端部に形成されたレール部79をスライド部材50'の係止部52に係合させ、レール部79が溝部53に沿って摺動するようになっているとともに、主基板24を取り付けたスライド部材50'を遊技盤ユニット９に固定することにより、主基板24が遊技盤ユニット９に取り付けられるものである。
ここで、スライド部材50'の取り付け部54に形成されたネジ孔54a,54bの間の距離は、主基板ケース70の横幅よりも短く形成されており、第一の実施の形態と同様に、スライド部材50'に主基板ケース70を取り付けると、両側のネジ孔54a,54bが同時に正面側に露出することがないようになっている。
【００６０】
さらに、図１９に示すように、遊技盤ユニット９の裏面には、主基板24がＩＯ基板60と反対側にスライドする場合の移動距離を一定に制限するためのストッパＴが設けられている。主基板24は、図１９における右側にスライドさせたときにはＩＯ基板60とぶつかり、左側にスライドさせたときにはストッパＴにぶつかるので、スライド部材50'から抜き取ることができない。すなわち、主基板24は、スライド部材50'を遊技盤ユニット９から取り外さない限り、スライド部材50'から取り外せないようになっている。
なお、特に図示しないが、上記において、主基板24を最大限左右に移動させた場合には、スライド部材50'のネジ孔54a,54bが片方ずつ、正面側に露出するようになっている。従って、ストッパＴを設けてあってもスライド部材50'を遊技盤ユニット９から取り外すことは可能である。
【００６１】
遊技盤ユニット９は、図１８に示すように、扉ユニット８を取り付けた本体枠100の内枠開口121に、正面側から収納されるものである。そして、クリップなどの固定装置（図示せず）により本体枠100の裏側から固定される。機種変更の際には、少なくとも遊技盤ユニット９を交換することにより遊技内容が変更され、本体枠100及び扉ユニット９はそのままで新たな遊技機として使用できるものである。
（遊技盤ユニット９の着脱）
続いて、以上のよう形成されたパチンコ機Ｐにおける遊技盤ユニット９の着脱手順を説明する。
【００６２】
ここで、遊技盤ユニット９が本体枠100の定位置に収納固定されている状態においては、図１９に示すように、主基板24はＩＯ基板60と並列する位置にある。そして、ＩＯ基板コネクタ60Aと、主基板コネクタ24Aは結合状態となっている。この状態において、遊技盤ユニット９は、所定の固定装置（図示せず）によって本体枠100にロックされているとともに、前記ＩＯ基板コネクタ60Aと主基板コネクタ24Aの結合により、前後方向（内枠120の正面に対して直交する方向）の移動を制限されている。
本体枠100に固定されている遊技盤ユニット９を取り外す場合には、まず、内枠120に扉ユニット８を装着したままの状態で内枠120を開き（図１６参照）、遊技盤ユニット９の裏面を露出させる。次に、主基板24を図１９における左方向にスライドさせることにより、ＩＯ基板コネクタ60Aと主基板コネクタ24Aの結合が外れる。次に、遊技盤ユニット９と本体枠100とを固定している固定装置の固定を解除し（例えばクリップを外し）、前扉8B及びガラス枠8Cを開放して遊技盤ユニット９を正面側に引き出せばよい。
【００６３】
このように、固定装置を解除して主基板24をスライドさせるだけで、面倒なハーネスの取り外し作業を一切行うことなく、遊技盤ユニット９を本体枠100から取り外すことができるものである。
一方、遊技盤ユニット９を本体枠100に収納固定する場合には、まず、主基板24を図１９に二点鎖線で示す位置（主基板24の左側端部がストッパＴに当接し遊技盤ユニット９の右側端部から主基板24の右側端部が突出しない位置）に移動させておき、前扉8B及びガラス枠8Cを開いた扉ユニット８の取り付け枠8Aに、正面側から遊技盤ユニット９を押入する（図１８参照）。遊技盤ユニット９を定位置まで押入させれば、遊技盤ユニット９の背面側にある交換制御部７は、取り付け枠8Aの開口及び内枠開口121から本体枠100の背面側に突出し、主基板24はＩＯ基板60と並列する。そこで、主基板24を図１９における右方向にスライドさせることにより、ＩＯ基板コネクタ60Aと主基板コネクタ24Aが結合される。この結合により、遊技盤ユニット９は前後方向（特に前方）への移動が規制される。その後、所定の固定装置により遊技盤ユニット９を本体枠100にロックする。
【００６４】
このように、遊技盤ユニット９を本体枠100に収納固定する場合にも、面倒なハーネスの取り付け作業を一切行う必要がない。
（本体枠100と遊技盤ユニット９の基板接続）
以上のように形成されているパチンコ機Ｐの、本体枠100と遊技盤ユニット９の各制御基板の接続態様ついて、従来の遊技機の場合と対比して説明する。
図２１（Ａ）は、従来のパチンコ遊技機における本体枠100と遊技盤ユニット９の構成部品及び交換制御部７の基板接続を示す概略のブロック図である。ここで、図２１（Ａ）（Ｂ）中「ドア・受け皿」とあるのは、前扉8Bの開閉を検知するための開閉センサ及び球皿130に設けられたオーバーフローセンサ（いずれも図示せず）のことである。また、図中、太矢印は電力供給、細矢印は信号出力を表すものである。
【００６５】
従来のパチンコ機では、本体枠側には、電源200と、メイン枠基板210、サブ枠基板211及び払い出し制御基板220が設けられており、遊技盤ユニット側には、主基板241及びサブ基板261及び盤面制御基板270が設けられていた。そして、本体枠と遊技盤ユニットとの電気的接続は、ハーネスの接続により行われていた。すなわち、盤面制御基板270に電源を供給するためのハーネス、主基板241に電源を供給するためのハーネス、ドア・受け皿のセンサから主基板241に信号を送るためのハーネス、主基板241からメイン枠基板210に信号を送るためのハーネス、サブ基板261とサブ枠基板211の間の信号をやりとりするハーネスは、それぞれ途中に設けられたコネクタの結合及び結合解除によって、電気信号の接続・切断がされるようになっていた。
【００６６】
従って、従来のパチンコ機では、盤面交換の際、遊技盤ユニットを取り外す前に上記した少なくとも５カ所のハーネスの取り外し作業を行い、遊技盤ユニットを装着後にもハーネスの取り付け作業を行わなければならないので、交換作業に時間を要し、作業者に負担を強いていた。また、ハーネスの誤接続や接続忘れが発生したり、遊技盤ユニットの本体枠への押入時に本体枠と遊技盤ユニットとの間にハーネスを噛み込んでしまうおそれがあった。
一方、本実施の形態に係るパチンコ機Ｐでは、図２１（Ｂ）に示すように、ＩＯ基板60を本体枠側に配置してあり、ＩＯ基板60は、電源200やメイン枠基板210等と接続されている。また、遊技盤ユニット９のサブ基板26及び盤面制御基板270は、主基板24を介して電源が供給されるようになっている。そして、ＩＯ基板60と主基板24とを、ＩＯ基板コネクタ60Aと主基板コネクタ24Aによって、直接接続するように形成してある。
【００６７】
従って、本実施の形態によれば、遊技盤ユニット９の着脱の際に、何カ所もコネクタの結合及び結合解除をする必要が無く、交換作業を迅速に行うことができる。また遊技盤ユニット９の背面側に接続用のハーネスが露出しないので、本体枠100への収納時にハーネスを噛み込んでしまうこともない。
さらに、本実施の形態では、ＩＯ基板60と主基板24との接続を、遊技盤ユニット９の着脱方向（前後方向）と交差する方向（左右方向）に設定し、かつ主基板24をスライド自在に形成したことにより、主基板24を移動させないと遊技盤ユニット９を手前側に引き出すことができないようになっている。すなわち、主基板24そのものが、遊技盤ユニット９をロックする手段としても機能しているので、例えば遊技盤ユニット９と本体枠100を固定するための固定装置を、従前のものより簡易に形成しても、遊技盤ユニット９を確実に固定することができ、部品点数及び製造費用の削減、及び着脱作業の工程の簡素化を図ることができるものである。
【００６８】
加えて、本実施の形態では、主基板24を取り外すためにはスライド部材50'を遊技盤ユニット９から取り外さなければならない構造にしてあるので、基板交換ゴトに対して防犯効果が高まるものである。
なお、本実施の形態においては、主基板24をスライドさせてＩＯ基板60と接続するように形成してあったが、逆にＩＯ基板60を左右にスライド自在に形成し、ＩＯ基板60をスライドさせて主基板24と接続するようにしてもよい。
具体的には、特に図示しないが、内枠120の裏側にスライド部材50'を取り付け、ＩＯ基板60の外装ケースの上下端部には前記主基板24に設けたものと同様のレール部を設け、このレール部とスライド部材50'の係止部52とを係合させて、溝部53に沿ってレール部が摺動するように形成することができる。この場合も、上述した主基板24と同様に、スライド部材50'を内枠120から取り外さないとＩＯ基板60を取り出せない構造にすることができる。このように、ＩＯ基板60をスライド自在とした場合には、主基板24を遊技盤ユニット９に取り付ける際に作業が簡単であるという利点がある。
【００６９】
以上のように、本発明によれば、従来は分離ユニット側、特に主基板に配置されていた入出力手段を不要にして、分離ユニット側に配置される主基板24を小型化して交換費用を少しでも削減することができるとともに、分離ユニットの交換作業が簡易に行えるようになった。特にパチンコ機Ｐにおいては、本体枠100と遊技盤ユニット９の着脱の際、ハーネスの取り付け取り外し作業が必要なくなるので、作業が迅速化されると同時に、遊技盤ユニット９の取り付け時において、ハーネスの誤接続、接続忘れをすることがなくなり、確実に取り付け作業を完了させることができる。
さらに、ＩＯ基板60と主基板24の接続方向を、分離ユニットの本体部への装着方向と交わる方向に設定してあるので、本体部に分離ユニットを収納設置してＩＯ基板60と主基板24を接続すると、本体部に分離ユニットがロックされる。このため、本体部に分離ユニットを固定するための固定装置を簡易な構成のものにしたり、取り付け数を減らすことが可能となり、結果として、本体部及び分離ユニットの部品点数を削減することができる。
【００７０】
なお、上記実施の形態では、ＩＯ基板60又は主基板24を左右方向にスライド自在に形成してあったが、本発明においては、ＩＯ基板60又は主基板24が上下方向にスライド自在となっていてもよい。例えば、図１９において、ＩＯ基板60を主基板24の下側に配置し、主基板コネクタ24Aを主基板24の下側端部に、ＩＯ基板コネクタ60AをＩＯ基板60の上側端部にそれぞれ形成し、ＩＯ基板60又は主基板24のいずれかを上下にスライド可能とするスライド部材50'を設ける構成とする。このように形成しても、ＩＯ基板60と主基板24が接続されることにより、遊技盤ユニット９の着脱方向（前後方向）の移動が規制されるものとなる。
【図面の簡単な説明】
【００７１】
【図１】本発明の第一の実施の形態であって、スロットマシンの外観斜視図である。
【図２】本発明の第一の実施の形態であって、スロットマシンの分解斜視図である。
【図３】本発明の第一の実施の形態であって、筐体の縦断面図である。
【図４】本発明の第一の実施の形態であって、筐体の正面図である。
【図５】本発明の第一の実施の形態であって、交換ユニットの斜視図である。
【図６】本発明の第一の実施の形態であって、交換ユニットの部分斜視図である。
【図７】本発明の第一の実施の形態であって、交換ユニットの背面図である。
【図８】本発明の第一の実施の形態であって、主基板及びＩＯ基板の斜視図である。
【図９】本発明の第一の実施の形態であって、ＩＯ基板の分解斜視図である。
【図１０】本発明の第一の実施の形態であって、スライド部材の平面、正面、側面図を示す図である。
【図１１】本発明の第一の実施の形態であって、主基板の分解斜視図である。
【図１２】本発明の第一の実施の形態であって、ＩＯ基板と主基板の接続を示す斜視図である。
【図１３】本発明の第一の実施の形態であって、従来と本実施の形態の基板接続の概略を示すブロック図である。
【図１４】本発明の第二の実施の形態であって、パチンコ機の外観斜視図である。
【図１５】本発明の第二の実施の形態であって、前扉を開いたパチンコ機の外観斜視図である。
【図１６】本発明の第二の実施の形態であって、本体枠を示す斜視図である。
【図１７】本発明の第二の実施の形態であって、パチンコ機の分解斜視図である。
【図１８】本発明の第二の実施の形態であって、パチンコ機の分解斜視図である。
【図１９】本発明の第二の実施の形態であって、パチンコ機の裏面図である。
【図２０】本発明の第二の実施の形態であって、スライド部材及び主基板及びＩＯ基板の斜視図である。
【図２１】本発明の第二の実施の形態であって、従来と本実施の形態の基板接続の概略を示すブロック図である。
【符号の説明】
【００７２】
Ｓ  スロットマシン（遊技機）        Ｐ  パチンコ機（遊技機）
１  筐体（本体部）                  ２  交換ユニット（分離ユニット）
３  前扉                            ４  電源ユニット（非交換部材）
５  ホッパーユニット（非交換部材）  ６  非交換制御部
７  交換制御部                      ８  扉ユニット
8A  取り付け枠                      8B  前扉
8C  ガラス枠                        ９  遊技盤ユニット（分離ユニット）
9A  盤面                            9B  レール
9C  始動入賞口                      9D  入賞口
9E  表示部
10  ハーネスダクト                  11  開口部
12  中板                            13  開口上部
14  開口下部                        15  底板
16  側板                            17  天板
18  裏板                            19  ヒンジ
20  リールユニット（交換部材）      21  支持体
22  基板固定部                     22A  主基板固定部
22B  メインリール基板固定部         22C  空間部
23  回転リール                      24  主基板
24A  主基板コネクタ                 24B  プリント基板
25  メインリール基板                26  サブ基板
27  サブリール基板
30  上扉                            31  図柄表示窓
32  液晶表示装置                    33  飾り部
35  スピーカ                        34  上パネル
40  下扉                            41  操作部
42  メダル投入口                    43  ベットスイッチ
44  スタートスイッチ                45  ストップスイッチ
46  メダル皿                        47  下パネル
48  メダルセレクター
50  スライド部材（移動補助部材）    51  ベース板
52  係止部                          53  溝部
54  取り付け部
60  ＩＯ基板（入手出力制御基板）   60A  ＩＯ基板コネクタ
60B  プリント基板                    61  メイン筐体基板
62  サブ筐体基板                    63  メイン操作基板
70  主基板ケース                    71  本体
72  カバー                          73  ネジ止め部
74  ＩＯ基板ケース                  75  本体
76  カバー                          77  レール部
78  ネジ止め部                      79  レール部
80  筐体コネクタ                    90  交換ユニットコネクタ
100  本体枠（本体部）               110  外枠
120  内枠                           121  内枠開口
130  球皿                           140  ハンドル
150  球通路
200  電源（非交換部材）             210  メイン枠基板
211  サブ枠基板                     220  払い出し制御基板
240,241  主基板                     250  メインリール基板
260,261  サブ基板                   270  盤面制御基板
610  メイン筐体基板
Ｑ，ｑ  ネジ                        Ｔ  ストッパ
【図１】
2008067962.tif 000003
【図２】
2008067962.tif 000004
【図３】
2008067962.tif 000005
【図４】
2008067962.tif 000006
【図５】
2008067962.tif 000007
【図６】
2008067962.tif 000008
【図７】
2008067962.tif 000009
【図８】
2008067962.tif 000010
【図９】
2008067962.tif 000011
【図１０】
2008067962.tif 000012
【図１１】
2008067962.tif 000013
【図１２】
2008067962.tif 000014
【図１３】
2008067962.tif 000015
【図１４】
2008067962.tif 000016
【図１５】
2008067962.tif 000017
【図１６】
2008067962.tif 000018
【図１７】
2008067962.tif 000019
【図１８】
2008067962.tif 000020
【図１９】
2008067962.tif 000021
【図２０】
2008067962.tif 000022
【図２１】
2008067962.tif 000023